(57)【要約】  【課題】床型枠に組立てられた床筋として使用される様々な径の鉄筋に対して１種類のコンクリート天端スペーサーで簡単に取り付けることができ、床厚と床面の水平を確実に保持できるコンクリート天端スペーサーを提供する。 【解決手段】  貫通ねじ孔７を有し且つ一側端部に係止用突起部４２が設けられた剛性板材１と、この剛性板材１の他側端に基端が取り付けられループ状に折り曲げ可能に構成され先端部には剛性板材１に設けた突起部４２に係止可能な穴４２が長手方向に沿って複数設けられた屈曲性板材3と、剛性板材１に引き抜き可能で且つ起倒自在に取り付けられたねじ棒１２と、このねじ棒１２にその軸方向に移動可能に取り付けられた天端表示部材13と、剛性板材１の貫通ねじ孔７に螺合して先端が前記鉄筋６に圧接可能な固定用ねじ部材8とを備える。【選択図】  図２
2010168884.tif 000002
【特許請求の範囲】
【請求項１】
管材または棒材に取り付けられる固定具であって、
貫通ねじ孔を有し且つ一側端部に係止用突起部が設けられた剛性板材と、
この剛性板材の他側端部に基端が取り付けられ、先端部には前記剛性板材に設けた突起部に係止可能な穴が長手方向に沿って複数設けられた、折り曲げ可能な屈曲性板材と、
前記剛性板材の貫通ねじ孔に螺合し、前記屈曲性板材が前記管材または棒材の周囲に巻き付けられ且つ屈曲性板材の先端部が前記剛性板材に設けた突起部に係止した状態で、先端が前記管材または棒材に圧接可能な固定用ねじ部材と、
を備えたことを特徴とする固定具。
【請求項２】
鉄筋に取り付けられるコンクリート天端スペーサーであって、
貫通ねじ孔を有し且つ一側端部に係止用突起部が設けられた剛性板材と、
この剛性板材の他側端部に基端が取り付けられ、先端部には前記剛性板材に設けた突起部に係止可能な穴が長手方向に沿って複数設けられた、折り曲げ可能な屈曲性板材と、
前記剛性板材に引き抜き可能で且つ起倒自在に取り付けられたポールと、
このポールにポールの軸方向に移動可能に取り付けられた天端表示部材と、
前記剛性板材の貫通ねじ孔に螺合し、前記屈曲性板材が前記鉄筋の周囲に巻き付けられ且つ屈曲性板材の先端部が前記剛性板材に設けた突起部に係止した状態で、先端が前記鉄筋に圧接可能な固定用ねじ部材と、
を備えたことを特徴とするコンクリート天端スペーサー。
【請求項３】
前記鉄筋に取り付けられ且つ前記ポールを略垂直に立てた状態で、前記剛性板材および固定用ねじ部材が前記鉄筋よりも下方に位置し、上方には突出しないように構成されている請求項２に記載のコンクリート天端スペーサー。
【発明の詳細な説明】
【技術分野】
【０００１】
本発明は、プラスチック管、金属管、もしくは鉄筋などの金属棒などの管材や棒材に取り付けられる固定具、およびコンクリート構造物の主にコンクリート床を構築する場合において、鉄筋に直接取付けられ、コンクリートの床厚と床面の水平を保持するためのコンクリート天端スペーサーに関する。
【背景技術】
【０００２】
従来、構築用スペーサーにおいては鉄筋を縦筋及び横筋に垂直に溶接するか、結束線にて鉄筋又は棒を固定し代用している。しかし、鉄筋に溶接すると構造物の強度の低下を引き起こし、結束線にて鉄筋又は棒を固定すると不安定であると共に、生コンクリートの打設作業がバイブレーターのホースと電気コードが絡み作業が困難である。また鉄筋を床厚の長さに切断したものを縦筋及び横筋に垂直に溶接して取り付けているが作業に多大の労力を要するものである。
【０００３】
そこで、本出願人は、先に、Ｕ型のネジ棒と蝶ナットと座金で形成した固定具の適所に、床厚と床面の水平を確実に保持する基準の丸棒またはネジ棒を一体に設け、丸棒もしくはネジ棒を安全作業を考慮し、棒の中間に連結具としてスプリングもしくは軟質部材で固定して、自在に基準の棒が転倒かつ自立する構造とした構築用コンクリート天端スペーサーを提案した（特許文献１）。
【０００４】
このコンクリート天端スペーサーは、鉄筋に装着され前記固定具から立ち上がった丸棒もしくはネジ棒が自在に転倒かつ自立する構造としてあるので、上記のような問題がなくなる。特許文献１では、コンクリート天端スペーサーを鉄筋に装着するための固定具がＵ型のネジ棒と蝶ナットと座金で構成されており、Ｕ型のネジ棒を鉄筋に装着して蝶ナットで締め付けるものである。
【０００５】
ところが、鉄筋には径が異なる種々のタイプのものが使用されるため、径が異なる鉄筋ごとに大きさの異なる幾種類ものコンクリート天端スペーサーを用意しなければならないという問題があった。例えば、１０ｍｍ径の鉄筋用の天端スペーサーでは、３０ｍｍ径かそれ以上の径の鉄筋には取付できないか、あるいは強固な取り付けが困難になるおそれがある。
【先行技術文献】
【特許文献】
【０００６】
【特許文献１】特開２００２−６１３９１号公報
【発明の概要】
【発明が解決しようとする課題】
【０００７】
本発明は、上記問題点に鑑みてなされたものであって、プラスチック管、金属管、もしくは鉄筋などの金属棒などの様々な径の管材や棒材を支持するためにこれら管材や棒材に取り付けられる固定具を提供することを課題とする。
さらに、本発明は、上記固定具を用いて、床型枠に組立てられた床筋として使用される様々な径の鉄筋に対して１種類のコンクリート天端スペーサーで簡単に取り付けることができ、床厚と床面の水平を確実に保持できる構築用コンクリート天端スペーサーを提供することをも課題とする。
【課題を解決するための手段】
【０００８】
上記目的を解決するための固定具は、管材または棒材に取り付けられるものであって、貫通ねじ孔を有し且つ一側端部に係止用突起部が設けられた剛性板材と、この剛性板材の他側端部に基端が取り付けられ、先端部には前記剛性板材に設けた突起部に係止可能な穴が長手方向に沿って複数設けられた、折り曲げ可能な屈曲性板材と、前記剛性板材の貫通ねじ孔に螺合し、前記屈曲性板材が前記管材または棒材の周囲に巻き付けられ且つ屈曲性板材の先端部が前記剛性板材に設けた突起部に係止した状態で、先端が前記管材または棒材に圧接可能な固定用ねじ部材とを備えたことを特徴とする
【０００９】
また、本発明のコンクリート天端スペーサーは、鉄筋に取り付けられるものであって、貫通ねじ孔を有し且つ一側端部に係止用突起部が設けられた剛性板材と、この剛性板材の他側端部に基端が取り付けられ、先端部には前記剛性板材に設けた突起部に係止可能な穴が長手方向に沿って複数設けられた、折り曲げ可能な屈曲性板材と、剛性板材に引き抜き可能で且つ起倒自在に取り付けられたポールと、このポールにポールの軸方向に移動可能に取り付けられた天端表示部材と、前記剛性板材の貫通ねじ孔に螺合し、前記屈曲性板材が前記鉄筋の周囲に巻き付けられ且つ屈曲性板材の先端部が前記剛性板材に設けた突起部に係止した状態で、先端が前記鉄筋に圧接可能な固定用ねじ部材と、を備えたことを特徴とする。
また、本発明のコンクリート天端スペーサーでは、前記鉄筋に装着し且つ前記ポールを略垂直に立てた状態で、前記剛性板材および固定用ねじ部材が前記鉄筋よりも下方に位置し、上方には突出しないように構成されているのが好ましい。
【発明の効果】
【００１０】
本発明の固定具によれば、剛性板材に基端が取り付けられた屈曲性板材を管材または棒材に巻き付けるようにループ状に折り曲げ、この屈曲性板材の先端部に設けた穴を剛性板材の一側端部に設けた係止用突起部に係止させ、ついで剛性板材に設けた貫通ねじ孔に固定用ねじ部材を螺合させてこのねじ部材先端を前記管材または棒材に圧接させることにより、例えば複数の管材または棒材を結束したり、あるいは管材または棒材に他部材を固定したり、逆に単一もしくは複数の管材または棒材を吊り下げたり、壁面等の他部材に固定したりするのに利用することができる。
【００１１】
本発明のコンクリート天端スペーサーによれば、剛性板材に基端が取り付けられた屈曲性板材を鉄筋に巻き付けるようにループ状に折り曲げ、この屈曲性板材の先端部に設けた穴を剛性板材の一側端部に設けた係止用突起部に係止させ、ついで剛性板材に設けた貫通ねじ孔に固定用ねじ部材を螺合させてこのねじ部材先端を前記鉄筋に圧接させることにより、コンクリート天端スペーサーの鉄筋への装着を終了する。
その際、以上の本発明では、前記剛性板材に設けた突起部に係止可能な穴が長手方向に沿って複数設けられているので、鉄筋などの管材または棒材の太さ(外径)に応じて突起部に係止する最適な穴を選択すればよい。従って、１種類の固定具または１種類のコンクリート天端スペーサーで径の異なる幾種類もの管材または棒材（鉄筋）に対応できるため、従来のように径の異なる管材または棒材（鉄筋）ごとに固定具または天端スペーサーを用意する手間がいらなくなり、コスト的に有利であると共に、天端スペーサーでは床型枠上に組み立てられた床筋への取付けも簡単になる。
【００１２】
しかも、本発明のコンクリート天端スペーサーによれば、前記ポールは剛性板材に起倒自在に取り付けられているので、生コンクリートの打設作業でバイブレーターのホースや電気コードがポールに絡んで作業が困難になるといいった問題がなくなる。また、このポールは剛性板材から引き抜き可能であり、かつ径が小さいので、引き抜き後に穴にコンクリートを充填するなどして、コンクリート断面における構造上の欠損を最小限にすることができる。
【００１３】
さらに、ポールにはその軸方向に移動可能に天端表示部材が取り付けられているので、この天端表示部材が床厚と水平又は高さ位置を示す目印となるので、コンクリート打設作業が正確にかつ容易に行えるようになる。
【図面の簡単な説明】
【００１４】
【図１】(a)は本発明の一実施例に係るコンクリート天端スペーサーを示す斜視図、(ｂ)はこの天端スペーサーの屈曲性板材を折り曲げた状態を示す斜視図である（このコンクリート天端スペーサーは、本発明の一実施例に係る固定具に棒材１０を取り付けた形態を有する）。
【図２】図１に示す天端スペーサーを鉄筋に取り付けた状態を示す斜視図である。
【図３】図１に示す天端スペーサーからポールを引き抜いた状態を示す一部破断側面図である。
【図４】径の異なる鉄筋への天端スペーサーの適用を示しており、上段は側面図、中断は正面図、下段は斜視図である。
【図５】図１に示す天端スペーサーの取付け手順を示す説明図である。
【図６】(a)および（ｂ）はそれぞれ本発明の他の実施例に係るコンクリート天端スペーサーを示す斜視図である。
【発明を実施するための形態】
【００１５】
本発明の一実施形態を図面に基づいて詳細に説明する。図１（a）はこの実施形態に係る固定具を備えたコンクリート天端スペーサー（以下、単に天端スペーサーと略称することがある）の主要部を示す斜視図、図１(b)はその天端スペーサーにおける屈曲性板材を折り曲げた状態を示す斜視図、図２はその天端スペーサーの使用状態を示す斜視図、図３は図２に示す天端スペーサーからポールを引き抜いた状態を示す側面図である。図４は径の異なる鉄筋への天端スペーサーの適用を示しており、上段は側面図、中断は正面図、下段は斜視図である。図５はこの実施形態に係る天端スペーサーの取付け手順を示す説明図である。
【００１６】
この実施形態に係る天端スペーサーは、図１（a）に示すように、断面略コ字形の剛性板材１の両側端部に切り起し加工により突起部２１,２２が形成されている。一方の側端部に形成された突起２１には屈曲性板材３の基端が取り付けられている。取り付けは、屈曲性板材３の基端に設けた穴４１に突起２１を係止させ、且つ屈曲性板材３の基端面を溶接にて剛性板材１の側端部に固定している。なお、屈曲性板材３の基端部は、単に剛性板材１の側端部に溶接にて固定するだけであってもよい。
【００１７】
屈曲性板材３は、長い帯状の板材であり、薄鋼板などから構成されている。屈曲性板材３の先端部には剛性板材３に設けた突起部２２に係止可能な穴４２a, ４２b，42cが屈曲性板材３の長手方向に沿って設けられている。また、屈曲性板材３の基端部と先端部との間には、軽量化や曲げやすさ等を考慮して開口部５が形成されている。
【００１８】
屈曲性板材３は、図１(b) に示すように、自在に折り曲げることができる。従って、図３に示すように、屈曲性板材３を折り曲げて、床型枠上に組み立てられた床筋である鉄筋６に巻きつけ、先端部の穴４２a, ４２b，42cを剛性板材１に設けた突起部２２に係止させる（図３を参照）。
【００１９】
また、断面略コ字形の剛性板材１の中央部には、貫通ねじ孔７が設けられており、この貫通ねじ孔７に固定用ねじ部材８が螺合している。このねじ部材８は螺入により先端が鉄筋８に圧接可能であり、後端には、ねじ部材８を貫通ねじ孔７に対して螺入またはその逆に後退させるための蝶ナット９が固定されている。
【００２０】
さらに、剛性板材１の中央部における貫通ねじ孔７の側部表面には、ポール取り付け用の棒材１０が溶接などによって固定されている。この棒材１０は先端部が剛性板材１の表面から側方に突出し且つ斜め下向きに、すなわち屈曲性板材３側に斜めに折り曲げられている。
【００２１】
そして、図２に示すように、棒材１０の先端部にコイルスプリング１１が外挿される。コイルスプリング１１の他端にはねじ棒１２（ポール）の下端部が挿入される。コイルスプリング１１とねじ棒１２とは螺合しているのが好ましい。これにより、図３に示すように、ねじ棒１２をコイルスプリング１１と共に引き抜くことができる。また、ねじ棒１２は、コイルスプリング１１の先端部に取り付けられているだけであるので、ねじ棒１２は、コイルスプリング１１の部分で起倒自在になり、自在に転倒かつ自立が可能である。
【００２２】
また、前記したように棒材１０の先端部は斜め下向きに折り曲げられているが、これは、図２に示すように、棒材１０の先端部にコイルスプリング１１を介してねじ棒１２を略垂直に立ち上げた状態で、剛性板材１および固定用ねじ部材8が鉄筋６よりも下方に位置し、上方には突出しないようにするためである。すなわち、図２、図３に示すように、ねじ棒１２を略垂直に立ち上げた状態では、棒材１０を含めて剛性板材１およびねじ部材8、蝶ナット９はこれらを固定した鉄筋６の上端（一点鎖線Ａで示す）よりも下方に位置するようになる。そのため、鉄筋６からコンクリートの仕上げ面までの間に異物が存在しなくなるので、いわゆる純かぶりを確保できるという利点がある。
【００２３】
ねじ棒１２には、軸方向に移動可能に天端表示部材１３が取り付けられている。ねじ棒１２は測量棒として機能するものであり、天端表示部材１３をねじ棒１２に沿って上下させて、コンクリートを打設する床厚や床面の高さを示す目印とする。床厚や床面の高さは測量によって正確に決定される。天端表示部材１３はその上下に配置されたナット１４，１４で締め付けることにより所定位置に固定することができる。また、ねじ棒１２の先端には、安全等を考慮して目印となる保護材15が取り付けられている。
【００２４】
図４（Ｉ）〜（ＩＩＩ）はこの実施形態に係る天端スペーサーを径の異なる３種類の鉄筋６a〜６cにそれぞれ取り付けた状態を示している。すなわち、図４（Ｉ）に示すように、径の小さな鉄筋６aに装着する場合は、屈曲性板材３の長手方向に沿って設けられる穴４２a〜４２cのうち、剛性板材１から最も離れた穴４２aに突起２２を係止させ、ねじ部材８を螺入させて天端スペーサーを固定する。
鉄筋６aよりも径の大きな鉄筋６ｂに装着する場合は、図４（ＩＩ）に示すように、穴４２ｂに突起２２を係止させ、以下上記と同様にして天端スペーサーを固定する。さらに、より大きな径の鉄筋６ｂに装着する場合は、図４（ＩＩＩ）に示すように、穴４２ｃに突起２２を係止させ、以下上記と同様にして天端スペーサーを固定する。
このため、例えば径が１０ｍｍから５１ｍｍまでの様々な径の鉄筋6に１つの天端スペーサーで対応することができる。
【００２５】
この実施形態に係る天端スペーサーの鉄筋6への取り付け手順を図５に基づいて説明する。すなわち、図５（a）に示すように、天端スペーサーの剛性板材１を所定位置の鉄筋6の上に載せ、ついで同図（ｂ）に示すように、屈曲性板材３を鉄筋6の周りを巻くようにループ状に折り曲げ、同図（c）に示すように、適当な穴４２aを剛性板材１の突起部22に係止させる。この状態で同図（d）に示すように、剛性板材１を回して、ねじ棒１２が略垂直になるように調整し、蝶ナット9でねじ部材８を螺入させて天端スペーサーを固定する。ついで、同図（e）に示すように、測量により床厚や床面の高さに相当する位置に天端表示部材１３を移動させ、上下のナット１４で締め付け表示部材１３を固定する。そして、コンクリート打設後は、ねじ棒１２をコイルスプリング１１と共に棒材１０と共に引き抜けばよい。
ねじ棒１２はできる限り小径であるのが好ましく、これによりコンクリート打設後の断面欠損がなく、補修が不要になる。具体的には、ねじ棒１２の径は２〜10ｍｍ程度であるのがよい。
【００２６】
なお、本発明は上記の実施形態に限定されるものではなく、以下に例示するような種々の変更や改良が可能であり、
（1）屈曲性板材３の長手方向に沿って設けられる３列の穴４２a〜４２cの数は特に限定されるものではなく、図６（a）に示すように２列の穴４２a、４２ｂであってもよく、あるいは図６（ｂ）に示すように５列の穴４２a〜４２eであってもよい。
（2）上記のねじ棒１２に代えて、単なる棒材を用いてもよい。
（3）引き抜き可能で自在に転倒かつ自立が可能である限りは、コイルスプリング１１に代えて、フレキシブルなプレスチック製またはゴム製の筒体を使用してもよい。
（4）ポールとして、ねじ棒１２に代えて、フレキシブルなプレスチック製またはゴム製の棒材を用いてもよい。このような棒材はそれ自体で起倒自在である。従って、例えば前記剛性板材に設けた凹部または貫通孔を有する固定部材(例えばナットなど、図示せず)に前記フレキシブルなプレスチック製またはゴム製の棒材の下端を挿入して、引き抜き可能に構成してもよい。
【００２７】
以上、コンクリート天端スペーサーの実施形態について説明したが、本発明における前記した剛性板材と屈曲性板材と固定用ねじ部材とを備えた固定具は、上記のような天端スペーサーの鉄筋への固定に限定されるものではなく、例えば複数の管材または棒材を結束したり、あるいは管材または棒材に他部材を固定したり、逆に単一もしくは複数の管材または棒材を吊り下げたり、壁面等の他部材に固定したりするのに好適に使用することができる。
【符号の説明】
【００２８】
１    剛性板材
２1、２２   突起部
３    屈曲性板材
４１，４２  穴
６    鉄筋
７    貫通ねじ孔
８    ねじ部材
９    蝶ナット
１０    棒材
１１    コイルスプリング
１２    ねじ棒（ポール）
１３    天端表示部材
１５    保護材
【図１】
2010168884.tif 000003
【図２】
2010168884.tif 000004
【図３】
2010168884.tif 000005
【図４】
2010168884.tif 000006
【図５】
2010168884.tif 000007
【図６】
2010168884.tif 000008